(57)【特許請求の範囲】
【請求項１】
外部装置から供給された外部画像を表示し、発光部と発熱部を有する表示装置と、
該表示装置と離間して設けられた反射型ディスプレイと、
該反射型ディスプレイに重畳されているタッチパネルと、に接続されている画像処理装置であって、
記憶手段と、
前記タッチパネルから入力された入力画像および前記外部画像を取得する取得手段と、
前記入力画像および前記外部画像を対応させて、前記記憶手段に記憶させる記憶制御手段と、を有することを特徴とする画像処理装置。
【請求項２】
外部装置から供給された外部画像を表示し、発光部と発熱部を有する表示装置と、
該表示装置と離間して設けられた反射型ディスプレイと、
該反射型ディスプレイに重畳されているタッチパネルと、に接続されている画像処理装置であって、
前記タッチパネルから入力された入力画像および前記外部画像を取得する取得手段と、
前記入力画像および前記外部画像を対応させて、前記外部装置の表示手段に表示させる第１表示制御手段を有することを特徴とする画像処理装置。
【請求項３】
外部装置から供給された外部画像を表示し、発光部と発熱部を有する表示装置と、
該表示装置と離間して設けられた反射型ディスプレイと、
該反射型ディスプレイに重畳されているタッチパネルと、
記憶装置と、に接続されている画像処理装置であって、
前記タッチパネルから入力された入力画像および前記外部画像を取得する取得手段と、
前記入力画像および前記外部画像を対応させて、前記記憶装置に記憶させる記憶制御手段と、を有することを特徴とする画像処理装置。
【請求項４】
過去に前記記憶された前記入力画像を前記反射型ディスプレイに表示させる第２表示制御手段を有することを特徴とする請求項１または３に記載の画像処理装置。
【請求項５】
請求項１ないし３何れか１項に記載の画像処理装置と、
前記タッチパネルと、
前記反射型ディスプレイと、を有する表示ボードであって、
前記タッチパネルは、透過性のある薄板状のタッチパネルであり、
前記反射型ディスプレイは、薄板状のディスプレイであることを特徴とする表示ボード。
【請求項６】
過去に記憶された前記入力画像を前記反射型ディスプレイに表示させる第２表示制御手段を有することを特徴とする請求項５に記載の表示ボード。
【発明の詳細な説明】
【技術分野】
【０００１】
本発明は、画像処理装置、表示ボードに関する。
【背景技術】
【０００２】
従来から、図１に示すように、表示装置１０が提案されている（例えば、非特許文献１参照）。図１の例では、説明者Ａと傍聴者Ｂ、Ｃとで会議が行われている。図１の例では、傍聴者Ｂが保有するノートＰＣから共有された画像Ｓ（破線で囲まれている）が、表示装置１０に表示される。また、表示装置１０は、タッチパネル機能が具備されており、説明者Ａが説明をしながら、表示装置１０に画像を記載することが出来る。図１の例では、説明者Ａは、画像Ｔを記載している。
【０００３】
図１に示す技術では、表示装置１０の画像Ｓの表示部分は、液晶ディスプレイまたはプラズマディスプレイが用いられていた。液晶ディスプレイまたはプラズマディスプレイは、どちらも発光する。従って、発光によるまぶしさや、該発光させるための消費電力に伴う熱により、説明者Ａ（ユーザ）に不快感を感じさせるという問題があった。
【０００４】
また、ＯＬＥＤ（Ｏｒｇａｎｉｃ  ｌｉｇｈｔ−Ｅｍｉｔｔｉｎｇ  Ｄｉｏｄｅ：有機ＥＬディスプレイ）の技術を採用することも考えられる。この場合には、説明者Ａは、消費電力に伴う熱を感じないという効果を奏する。
【発明の概要】
【発明が解決しようとする課題】
【０００５】
しかし、非特許文献１記載の技術に、ＯＬＥＤの技術を採用した表示装置１０では、説明者Ａに対する発光による不快感を解消することは出来ない。また、ＯＬＥＤを採用した表示装置１０では製造コストが高くなる。
【０００６】
そこで、このような問題を鑑みて、ユーザに発光によるまぶしさや、該発光させるための消費電力に伴う熱による不快感を感じさせず、製造コストを抑えた画像処理装置、表示ボードを提案する。
【課題を解決するための手段】
【０００７】
上記目的を達成するため、外部装置から供給された外部画像を表示し、発光部と発熱部を有する表示装置と、
該表示装置と離間して設けられたタッチパネルと、
該タッチパネルが重畳されている反射型ディスプレイと、に接続されている画像処理装置であって、
記憶手段と、
前記タッチパネルから入力された入力画像および前記外部画像を取得する取得手段と、
前記入力画像および前記外部画像を対応させて、前記記憶手段に記憶させる記憶制御手段と、を有することを特徴とする画像処理装置、表示ボードを提供する。
【発明の効果】
【０００８】
本発明の画像処理装置、表示ボードによれば、ユーザに不快感を感じさせず、製造コストを抑えることが出来る。
【図面の簡単な説明】
【０００９】
【図１】従来の表示ボードの一例を示した図。
【図２】本実施例の表示ボードの一例を示した図。
【図３】本実施例の表示ボードの機能構成例を示した図。
【図４】本実施例の画像処理装置の機能構成例を示した図。
【図５】本実施例の外部画像と入力画像の対応例を示した図。
【図６】別の実施形態の画像処理装置の機能構成例を示した図（その１）。
【図７】本実施例の外部装置の表示手段に表示される画像の一例を示した図。
【図８】別の実施形態の画像処理装置の機能構成例を示した図（その２）。
【図９】別の実施形態の画像処理装置の機能構成例を示した図（その３）。
【図１０】別の実施形態の画像処理装置の機能構成例を示した図（その４）。
【図１１】別の実施形態の画像処理装置の機能構成例を示した図（その５）。
【発明を実施するための形態】
【００１０】
以下に、各実施形態について説明する。同じ機能を持つ構成部や同じ処理を行う過程には同じ番号を付し、重複説明を省略する。また、画像とは、文字や図形、パターン、これらが組み合わされたものをいう。
［実施形態１］
図２に、本実施例の表示ボード３００を用いた会議システム１０００の一例を示す。図２に示すように、会議システム１０００は、主に、第１表示装置１００と、外部装置２００と、表示ボード３００と、を用いて行なわれる。第１表示装置１００と、外部装置２００と、表示ボード３００と、はそれぞれ離間している。
【００１１】
第１表示装置１００には、外部装置２００から供給された画像（以下、「外部画像α」という。）が表示される。第１表示装置１００は、ＦＰＤ（Ｆｌａｔ  Ｐｎａｅｌ  Ｄｉｓｐｌａｙ）であり、液晶ディスプレイや、プラズマディスプレイや、プロジェクタなどを用いればよい。図２の例では、外部画像αは、会議や授業で議論される対象の画像である。表示ボード３００が授業で用いられるような場合には、外部画像αは例えば、教科書の内容である。また、表示ボード３００が会議で用いられるような場合には、外部画像αは例えば、説明者Ａが説明に用いられる。
【００１２】
そして、説明者Ａが、外部画像αを説明しながら、会議は進行される。説明者Ａは説明と共に、表示ボード３００に画像（以下、「入力画像β」という。）を記述する。入力画像βは、外部画像αを説明する上で追記される、外部画像αの補助的な情報の画像である。図２の例の入力画像βは、「今日のミーティングで議論すること」などの文字画像である。表示ボード３００に記述された入力画像βは、図２に記載されるように、表示ボード３００に表示される。従って、傍聴者Ｂは、外部画像αと入力画像βの両方を視認することが出来る。表示ボード３００の詳細な構成は、後述する図３に示す。
【００１３】
上述のように、外部画像αが表示される第１表示装置１００と、入力画像βが入力・表示される表示ボード３００とは、離間されている。従って、発光によるまぶしさや熱により、説明者Ａ（ユーザ）は不快感を感じることはない。また、ＯＬＥＤ技術を採用していないことから、製造コストを抑えることが出来る。また、第１表示装置１００からの発光や熱が、ユーザに対して不快感を感じさせない程度に、第１表示装置１００と電子ボード３００とは、離間されている。
【００１４】
図３に、表示ボード３００の機能構成例を示す。表示ボード３００は、入力装置４００と、第２表示装置５００と、画像処理装置６００と、で構成されている。
【００１５】
入力装置４００は、例えば、タッチパネルである。タッチパネルの方式として、赤外線方式、感圧膜方式、超音波方式、静電容量方式、などを用いればよい。図３の例では、入力装置４００は、透過性のある薄板状のタッチパネルである。透過性とは、ユーザが透過して、視認できるほどの濃度を有することをいう。
【００１６】
第２表示装置５００は、入力装置４００から入力された入力画像βを表示するものであり、例えば、反射型ディスプレイを用いればよい。図３の例では、薄板状となっている。反射型ディスプレイの方式として、電気泳動方式や、粒子移動方式や、コレステリック液晶方式や、エレクトロクロミック方式などを用いればよい。反射型ディスプレイの詳細については、例えば、「「電子ペーパ」日本画像学会編集、面谷信監修、東京電機大学出版局、２００８」」などに記載されている。
【００１７】
図４に、本実施形態の画像処理装置６００などの機能構成例を示す。図４に示すように、外部装置２００からの外部画像を画像処理装置６００および第１表示装置１００に供給するために、分岐型のディスプレイケーブル２５２が用いられる。ディスプレイケーブル２５２は、ＶＧＡケーブル（Ｖｉｄｅｏ  Ｇｒａｐｈｉｃｓ  Ａｒｒａｙ）や、ＤＭＩケーブル（ＤＩＧＩＴＡＬ  Ｖｉｓｕａｌ  Ｉｎｔｅｒｆａｃｅ）や、ＨＤＭＩケーブル（Ｈｉｇｈ  Ｄｅｆｉｎｉｔｉｏｎ  Ｍｕｌｔｉｍｅｄｉａ  Ｉｎｔｅｒｆａｃｅ）などが用いられる。
【００１８】
また、外部装置２００の接続手段（例えば、ＵＳＢホスト端子であり、図示せず）と、画像処理装置６００の第２接続手段６１２（ＵＳＢデバイス端子）とをＵＳＢケーブル２５４により接続する。
【００１９】
外部装置２００を第２接続手段６１２に接続する理由は、画像処理装置６００の記憶手段６０８をメモリ領域として、外部端末（例えば、ノートＰＣ）のＯＳに認識させるためである。このように、あるメモリ領域をＰＣの外部記録領域として認識させる技術は、ＵＳＢのマストレージと呼ばれる規格でよく知られている。
【００２０】
また、入力装置４００、第２表示装置５００も画像処理装置６００に接続される。
【００２１】
次に、画像処理装置６００などの処理の流れを説明する。まず、傍聴者Ｂが、外部端末２００の表示手段２００ａに表示されている表示対象の外部画像を、画像供給ボタンを押下することで、外部装置２００から、該外部画像αが、第１表示装置１００および画像処理装置６００に供給される。
【００２２】
第１表示装置１００は、共有された外部画像αを表示する（図２参照）。また、画像処理装置６００の取得手段６０４は、第１接続手段６０２経由で、外部画像αを取得する。一方、図２に示すように、説明者Ａが、第１表示装置１００に表示された外部画像αを見ながら、説明者Ａが追記したい画像（入力画像β）を入力装置４００（タッチパネル）に入力する。該入力画像βは、描画手段により行なわれる。描画手段は、説明者の指やスタイラスペンなどである。また、図２の例では、入力画像βは、「解決済み  要検討」である。取得手段６０４は、入力装置４００に入力された入力画像βを取得する。つまり、取得手段６０４は、外部装置２００からの外部画像α、および、入力装置４００に入力された入力画像βを取得する。
【００２３】
取得手段６０４が、外部画像αと入力画像βを取得すると、記憶制御手段６０６が、取得された外部画像αと入力画像βを対応させて記憶手段６０８に記憶させる。外部画像α、入力画像βは、例えば、ビットマップ形式で、記憶手段６０８に記憶される。図５に記憶手段６０８の記憶形態の一例を示す。図５の例では、各ユーザＸ１、Ｘ２・・・ごとに、外部画像αと入力画像βとの対応が記憶されている。ユーザＸ１、Ｘ２などはユーザ識別情報（例えばユーザＩＤ）とし、α１１、β１１等は、それぞれ外部画像、入力画像の識別情報を示す。例えば、ユーザＸ１については、Ｎ個の「外部画像αと入力画像β」の対応が記憶されている。ユーザＸ１については、対応の組（α１１、β１１）・・・（α１Ｎ、β１Ｎ）が記憶されている。図５中のＮ、Ｍはそれぞれ自然数とする。なお、ユーザとは、説明者Ａや傍観者Ｂなどを含めた画像処理装置６００、表示ボード３００を使用する全ての者をいう。
【００２４】
また取得手段６０４が取得した入力画像βは、生成手段６１０に送信される。そして生成手段６１０は、取得手段６０４が取得した入力画像βを第２表示装置５００に表示させる。
【００２５】
図３で説明したように、入力装置４００は透過性のある薄板状のタッチパネルであり、第２表示装置５００は薄板状のディスプレイである。そして、入力装置４００は第２表示装置５００に重畳している。従って、入力装置４００に入力（記述）された入力画像βは、第２表示装置５００に表示され、説明者Ａや傍聴者Ｂは、該入力画像βは視認することが出来る。
【００２６】
この実施形態１の画像処理装置６００、および、画像処理装置が用いられた表示ボード３００であれば、外部画像αが表示される第１表示装置１００と離間されている。従って、発光によるまぶしさや熱により、説明者Ａ（ユーザ）は不快感を感じることはない。また、ＯＬＥＤ技術を採用していないことから、製造コストを抑えることが出来る。
［実施形態２］
次に、実施形態２の画像処理装置６００−１について説明する。図６に画像処理装置６０００−１の機能構成例を示す。図６は図４と比較すると、第１表示制御手段６２０が具備されている点で異なる。
【００２７】
第１表示制御手段６２０は、取得手段６０４が取得した外部画像αと、入力画像βと、を対応させて外部装置２００の表示手段２００ａ（図２参照）に表示させる。表示手段２００ａに表示させる画面の一例を図７に示す。図７に示すように、表示手段２００ａには、対応付けられた外部画像αと、入力画像βとが表示される。表示される画像のレイアウトは、図７に示すものに限られない。
【００２８】
この実施形態２の画像処理装置６００−１によれば、傍聴者Ｂが保有する外部装置２００の表示手段２００ａに、対応付けられた外部画像αと、入力画像βとが表示される。従って、傍聴者Ｂは、外部画像αと、該外部画像αと対応する入力画像βの両方を視認することが出来る。よって、会議や授業などを円滑に進行することが出来る。
［実施形態３］
次に、実施形態３の画像処理装置６００−２について説明する。画像処理装置６００−２の機能構成例を図８に示す。図８を図４と比較すると、異なる主な点は、画像処理装置６００−２は、外部記憶装置７００に接続されている点である。
【００２９】
外部記憶装置７００とは、画像処理装置６００−２に着脱可能に外部接続される記憶装置であり、例えば、ＵＳＢメモリなどである。外部記憶装置７００をＵＳＢメモリとすると、画像処理装置６００−２は、該ＵＳＢメモリを差し込むためのＵＳＢホスト端子が設けられる。また、画像処理装置６００−２には、例えば、記録開始入力手段（図示せず）が設けられている。記録開始入力手段とは、例えば、記録開始ボタンであり、該記録開始ボタンをユーザが押下すると、記憶制御手段６０６が、（取得手段６０４に取得された）外部画像と入力画像を対応させて外部記憶装置７００に記憶させる。
【００３０】
そして、ユーザは、対応された入力画像および外部画像が記憶された外部記憶装置７００を、画像処理装置６００−２から取り外し、自由に搬送することができる。そして、ユーザは、外部記憶装置７００に記憶されている対応された入力画像および外部画像を、他の表示装置などで表示させることが出来る。
【００３１】
この実施形態３によれば、ユーザは、外部記憶装置７００に対応された入力画像および外部画像を搬送でき、他の表示装置などで表示させることが出来る。
【００３２】
また、実施形態１〜実施形態３を総合すると、対応された入力画像および外部画像の供給先は、（ｉ）記憶手段６０８（図４参照、実施形態１で説明）（ｉｉ）外部装置２００（図６参照、実施形態２で説明）（ｉｉｉ）外部記憶装置７００（図８参照、実施形態３で説明）であるとして説明した。
【００３３】
本実施例の画像処理装置、表示ボードは、これら３つの共有先（ｉ）〜（ｉｉｉ）のうち少なくとも２つとするように、構成してもよい。
［実施形態４］
次に、実施形態４の画像処理装置６００−３について説明する。図９に実施形態４の画像処理装置６００−３の機能構成例を示す。図９を図４と比較すると、図９では、第２表示手段６３０が具備されている点で異なる。
【００３４】
上述のように、第２表示装置５００は、入力装置４００から入力された入力画像βを表示させる。そして、外部装置２００からのトリガー信号Ｔにより、第２表示制御手段６３０は、過去に記憶手段６０８に記憶された入力画像βを第２表示装置５００に表示させる。第２表示装置５００に過去の入力画像βを表示させることで、ユーザは、過去の入力画像βを視認することが出来る。
【００３５】
従って、例えば、画像処理装置６００−３が学校の授業で用いられている場合には、説明者Ａ（先生）が、過去に表示ボードに描画した（入力装置４００に入力した）画像を表示させることが出来、該過去の画像について生徒たちに復習させることが出来る。
【００３６】
次に、トリガー信号Ｔの第１の例について説明する。まず、予め外部装置２００内の記憶手段（図示せず）に、過去に入力装置４００に入力された入力画像βを取得し、記憶させておく。そして、ユーザは、外部装置２００に記憶されている入力画像βであり、かつ、第２表示装置５００に表示させたい入力画像βを、外部装置２００から（第２接続手段６１２経由で）記憶手段６０８に送信する。
【００３７】
また、実施形態１では、記憶制御手段６０６は、取得手段６０４が取得した入力画像βと外部画像αとを対応させて、記憶手段６０８に記憶させる、と説明した。実施形態４の記憶制御手段６０６は、この記憶処理と共に、記憶手段６０８を監視処理を行っている。そして、記憶制御手段６０６は、該記憶制御手段６０６以外の手段で、記憶手段６０８に記憶された画像については、第２表示制御手段６３０に送信する。そして、第２表示制御手段６３０は、該送信させる該画像を第２表示装置５００に送信し、第２表示装置５００に表示させる。
【００３８】
つまり、外部装置２００から送信され、記憶手段６０８に記憶された画像は、記憶制御手段６０６以外の手段で、記憶手段６０８に記憶された画像である。よって、外部装置２００から送信され、記憶された画像（過去に記憶された入力画像β）がトリガー信号Ｔとなり、該記憶された画像を記憶手段６０８から取得し、第２表示制御手段６３０は、該取得した該入力画像βを第２表示装置５００に表示させる。
【００３９】
次に、トリガー信号Ｔの第２の例について説明する。過去に、記憶手段６０８に記憶された各入力画像βそれぞれに該識別情報を付与する。そして、外部装置２００からは、第２表示装置５００に表示される対象の入力画像βについての識別情報が第２表示制御手段６３０に送信される（図９の破線の矢印）。
【００４０】
第２表示制御手段６３０は、外部装置２００から送信された識別情報に対応する入力画像βを取得する。そして、第２表示制御手段６３０は、該取得した入力画像βを第２表示装置５００に送信し、表示させる。
【００４１】
この実施形態４の画像処理装置６００−３によれば、外部装置２００からのトリガー信号Ｔにより、ユーザの所望する、過去に記憶手段６０８に記憶された入力画像βを第２表示装置５００に表示させることが出来る。
［その他の実施形態］
次に、その他の実施形態について説明する。その他の実施形態では、主に、外部装置２００と表示ボード３００との接続についての実施形態１〜４以外の接続手法について説明する。
【００４２】
図１０に、第１の接続手法で、外部装置２００と、画像処理装置６００とを接続した構成を示す。図１０の例では、外部装置２００と、画像処理装置６００とが、ディスプレイケーブル２５６で接続されている。また、第１表示装置１００と画像処理装置６００とは、ディスプレイケーブル２５８で接続されている。外部装置２００からの外部画像αは、第１接続手段６０２に入力される。そして、入力された外部画像αは、第３接続手段６４０に入力される。第３接続手段６４０から、ディスプレイケーブル２５８で、第１表示装置１００に対して、外部画像αが入力される。ディスプレイケーブル２５８は例えば、ＶＧＡケーブルである。
【００４３】
この第１の接続手法であれば、ディスプレイケーブル２５２（図４参照）のような分岐型ディスプレイケーブルを使用しなくてもよい、という効果を奏する。
【００４４】
次に、第２の接続手法について説明する。図１１に、第２の接続手法で、外部装置２００と、画像処理装置６００とを接続した構成を示す。図１１の例では、外部装置２００と、画像処理装置６００とが、ＵＳＢケーブル２５４のみで接続されている。
【００４５】
外部装置２００からの外部画像αは、ＵＳＢケーブル２５４で送信可能な規格で、ＵＳＢケーブル２５４を経由して、第２接続手段６１２に送信される。ＵＳＢケーブル２５４を経由して、外部画像αを送信する技術は、例えば、ディスプレーリンク社のＵＳＢグラフィックス技術が良く知られている。この技術は、ＶＧＡ、ＤＶＩ、ＨＤＭＩ、のような一般的なディスプレイケーブルよりも通信帯域の小さいＵＳＢケーブルを通るように、外部画像αを圧縮して送信するものである。
【００４６】
第２接続手段６１２に送信された外部画像αは、変換手段６５０に入力される。変換手段６５０に入力された外部画像αは、例えば、ＶＧＡケーブルで送信可能な規格に変換される。具体的には、圧縮された外部画像αを解凍することなどの処理が行われる。そして、外部画像αは、第３接続手段６４０から、ディスプレイケーブル２５８を経由して、第１表示装置１００に送信される。
【００４７】
この第２の接続手法であれば、外部装置２００と画像処理装置６００とを接続するためのケーブルを１本にすることが出来る。
【符号の説明】
【００４８】
６０２    第１接続手段
６０４    取得手段
６０６    記憶制御手段
６０８    記憶手段
６１０    生成手段
６１２    第２接続手段
【先行技術文献】
【非特許文献】
【００４９】
【非特許文献１】"日立ソリューションズ"［ｏｎｌｉｎｅ］［平成２３年３月２日検索］インターネット〈ＵＲＬ：http://hitachisoft.jp/products/starboard/〉
【図１】
0005712707.tif 000002
【図２】
0005712707.tif 000003
【図３】
0005712707.tif 000004
【図４】
0005712707.tif 000005
【図５】
0005712707.tif 000006
【図６】
0005712707.tif 000007
【図７】
0005712707.tif 000008
【図８】
0005712707.tif 000009
【図９】
0005712707.tif 000010
【図１０】
0005712707.tif 000011
【図１１】
0005712707.tif 000012